【手続補正書】
【提出日】平成26年7月23日(2014.7.23)
【手続補正１】
【補正対象書類名】特許請求の範囲
【補正対象項目名】全文
【補正方法】変更
【補正の内容】
【特許請求の範囲】
【請求項１】
画像データに基づいて照明光を変調して画像を表示する光変調手段を分割した複数の分割部分の各々に対して少なくとも一つずつ配置され、前記光変調手段に照射される前記照明光を発する複数の発光手段と、
前記分割部分毎に、前記画像データにより表される画像のうち当該分割部分に対応する部分のサブ画素の色データのままで前記部分の彩度を判定するとともに、前記部分のサブ画素の色データのままで前記部分の輝度を推定する輝度推定機能付き彩度判定手段と、
前記分割部分毎に、前記彩度の判定結果と、前記輝度の推定結果とに基づいて、当該分割部分に対応する発光手段の輝度を制御する制御手段を備え、
前記輝度推定機能付き彩度判定手段は、前記分割部分毎に、当該分割部分に対応する画像部分が、前記彩度が所定レベルよりも小さく、かつ前記輝度が所定レベルよりも小さい低彩度低輝度部分であるか否かを判定する機能を備え、
前記制御手段は、前記分割部分毎に、当該分割部分に対応する画像部分が前記低彩度低輝度部分であると判定された場合には、前記彩度が前記所定レベルよりも小さく、かつ前記輝度が前記所定レベルよりも大きい場合と比べて、当該分割部分に対応する発光手段の輝度が低くなるように制御を行い、
また、前記輝度推定機能付き彩度判定手段は、前記分割部分毎に、当該分割部分に対応する画像部分が、前記彩度が所定レベルよりも小さく、かつ前記輝度が所定レベルよりも大きい低彩度高輝度部分であるか否かを判定する機能を備え、
前記制御手段は、前記分割部分毎に、当該分割部分に対応する画像部分が前記低彩度高輝度部分であると判定された場合には、前記彩度が前記所定レベルよりも小さく、かつ前記輝度が前記所定レベルよりも小さい場合と比べて、当該分割部分に対応する発光手段の輝度が高くなるように制御を行う、
ことを特徴とする発光装置。
【請求項２】
前記制御手段は、前記複数の分割部分のうち互いに隣接する分割部分間での前記照明光の輝度の差が所定レベル以下となるように、前記複数の発光手段の輝度を制御することを特徴とする請求項１に記載の発光装置。
【請求項３】
前記制御手段は、
前記分割部分毎に、前記彩度の判定結果と、前記輝度の推定結果とに基づいて、当該分割部分に対応する発光手段の輝度を制御するための発光制御データを生成する発光制御データ生成手段と、
前記複数の分割部分のうち互いに隣接する分割部分間での前記発光制御データの差が所定基準値以下となるように、前記分割部分毎の発光制御データの調整を行う発光制御データ調整手段と、
を有することを特徴とする請求項１または２に記載の発光装置。
【請求項４】
請求項１から３のいずれか１項に記載の発光装置と、
前記発光装置からの照明光を変調して画像を表示する前記光変調手段と、
を備えることを特徴とする表示装置。
【請求項５】
画像データに基づいて照明光を変調して画像を表示する光変調手段と、前記光変調手段を分割した複数の分割部分の各々に対して少なくとも一つずつ配置され、前記光変調手段に照射される前記照明光を発する複数の発光手段とを備える表示装置に用いられる制御方法であって、
前記分割部分毎に、前記画像データにより表される画像のうち当該分割部分に対応する部分のサブ画素の色データのままで前記部分の彩度を判定するとともに、前記部分のサブ画素の色データのままで前記部分の輝度を推定する判定工程と、
前記分割部分毎に、前記彩度の判定結果と、前記輝度の推定結果とに基づいて、当該分割部分に対応する発光手段の輝度を制御する制御工程を備え、
前記判定工程では、前記分割部分毎に、当該分割部分に対応する画像部分が、前記彩度が所定レベルよりも小さく、かつ前記輝度が所定レベルよりも小さい低彩度低輝度部分であるか否かを判定し、
前記制御工程では、前記分割部分毎に、当該分割部分に対応する画像部分が前記低彩度低輝度部分であると判定された場合には、前記彩度が前記所定レベルよりも小さく、かつ前記輝度が前記所定レベルよりも大きい場合と比べて、当該分割部分に対応する発光手段の輝度が低くなるように制御を行い、
また、前記判定工程では、前記分割部分毎に、当該分割部分に対応する画像部分が、前記彩度が所定レベルよりも小さく、かつ前記輝度が所定レベルよりも大きい低彩度高輝度部分であるか否かを判定し、
前記制御工程では、前記分割部分毎に、当該分割部分に対応する画像部分が前記低彩度高輝度部分であると判定された場合には、前記彩度が前記所定レベルよりも小さく、かつ前記輝度が前記所定レベルよりも小さい場合と比べて、当該分割部分に対応する発光手段の輝度が高くなるように制御を行う、
ことを特徴とする制御方法。
【請求項６】
前記制御工程では、前記複数の分割部分のうち互いに隣接する分割部分間での前記照明光の輝度の差が所定レベル以下となるように、前記複数の発光手段の輝度を制御することを特徴とする請求項５に記載の制御方法。
【請求項７】
前記制御工程は、
前記分割部分毎に、前記彩度の判定結果と、前記輝度の推定結果とに基づいて、当該分割部分に対応する発光手段の輝度を制御するための発光制御データを生成する発光制御データ生成工程と、
前記複数の分割部分のうち互いに隣接する分割部分間での前記発光制御データの差が所定基準値以下となるように、前記分割部分毎の発光制御データの調整を行う発光制御データ調整工程と、
を有することを特徴とする請求項５または６に記載の制御方法。
【手続補正２】
【補正対象書類名】明細書
【補正対象項目名】発明の名称
【補正方法】変更
【補正の内容】
【発明の名称】発光装置、表示装置、および制御方法
【手続補正３】
【補正対象書類名】明細書
【補正対象項目名】０００７
【補正方法】変更
【補正の内容】
【０００７】
本発明に係る発光装置は、
画像データに基づいて照明光を変調して画像を表示する光変調手段を分割した複数の分割部分の各々に対して少なくとも一つずつ配置され、前記光変調手段に照射される前記照明光を発する複数の発光手段と、
前記分割部分毎に、前記画像データにより表される画像のうち当該分割部分に対応する部分のサブ画素の色データのままで前記部分の彩度を判定するとともに、前記部分のサブ画素の色データのままで前記部分の輝度を推定する輝度推定機能付き彩度判定手段と、
前記分割部分毎に、前記彩度の判定結果と、前記輝度の推定結果とに基づいて、当該分割部分に対応する発光手段の輝度を制御する制御手段を備え、
前記輝度推定機能付き彩度判定手段は、前記分割部分毎に、当該分割部分に対応する画像部分が、前記彩度が所定レベルよりも小さく、かつ前記輝度が所定レベルよりも小さい低彩度低輝度部分であるか否かを判定する機能を備え、
前記制御手段は、前記分割部分毎に、当該分割部分に対応する画像部分が前記低彩度低輝度部分であると判定された場合には、前記彩度が前記所定レベルよりも小さく、かつ前記輝度が前記所定レベルよりも大きい場合と比べて、当該分割部分に対応する発光手段の輝度が低くなるように制御を行い、
また、前記輝度推定機能付き彩度判定手段は、前記分割部分毎に、当該分割部分に対応する画像部分が、前記彩度が所定レベルよりも小さく、かつ前記輝度が所定レベルよりも大きい低彩度高輝度部分であるか否かを判定する機能を備え、
前記制御手段は、前記分割部分毎に、当該分割部分に対応する画像部分が前記低彩度高輝度部分であると判定された場合には、前記彩度が前記所定レベルよりも小さく、かつ前記輝度が前記所定レベルよりも小さい場合と比べて、当該分割部分に対応する発光手段の輝度が高くなるように制御を行う、
ことを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、本発明に係る制御方法は、
画像データに基づいて照明光を変調して画像を表示する光変調手段と、前記光変調手段を分割した複数の分割部分の各々に対して少なくとも一つずつ配置され、前記光変調手段に照射される前記照明光を発する複数の発光手段とを備える表示装置に用いられる制御方法であって、
前記分割部分毎に、前記画像データにより表される画像のうち当該分割部分に対応する部分のサブ画素の色データのままで前記部分の彩度を判定するとともに、前記部分のサブ画素の色データのままで前記部分の輝度を推定する判定工程と、
前記分割部分毎に、前記彩度の判定結果と、前記輝度の推定結果とに基づいて、当該分割部分に対応する発光手段の輝度を制御する制御工程を備え、
前記判定工程では、前記分割部分毎に、当該分割部分に対応する画像部分が、前記彩度が所定レベルよりも小さく、かつ前記輝度が所定レベルよりも小さい低彩度低輝度部分であるか否かを判定し、
前記制御工程では、前記分割部分毎に、当該分割部分に対応する画像部分が前記低彩度低輝度部分であると判定された場合には、前記彩度が前記所定レベルよりも小さく、かつ前記輝度が前記所定レベルよりも大きい場合と比べて、当該分割部分に対応する発光手段の輝度が低くなるように制御を行い、
また、前記判定工程では、前記分割部分毎に、当該分割部分に対応する画像部分が、前記彩度が所定レベルよりも小さく、かつ前記輝度が所定レベルよりも大きい低彩度高輝度部分であるか否かを判定し、
前記制御工程では、前記分割部分毎に、当該分割部分に対応する画像部分が前記低彩度高輝度部分であると判定された場合には、前記彩度が前記所定レベルよりも小さく、かつ前記輝度が前記所定レベルよりも小さい場合と比べて、当該分割部分に対応する発光手段の輝度が高くなるように制御を行う、
ことを特徴とする。